(57)【要約】      （修正有）【課題】簡単な仕組みで噴霧の機能を有する噴霧式ミネラルウォーター瓶蓋を提供する。【解決手段】多機能の噴霧式ミネラルウォーター瓶は、弾性の瓶体と噴霧式ミネラルウォーター瓶蓋からなる。噴霧式ミネラルウォーター瓶蓋は蓋スタンド１、噴霧装置２及び水制御装置より成る。蓋スタンドは瓶口にぴったりとはまって、その上には水を通すことのできる穴がある。噴霧装置は、霧化弁体２１とノズル２２を有する。霧化弁体の外壁には少なくとも２本の導流溝２４を設け、導流溝に合わせる霧化溝２６を設ける。ノズルには、霧化弁体を収容する空間があり、その一端には噴霧口２３が開かれる。水制御装置は固定体４０、回転できる可動体を有する。固定体は、蓋スタンド１に連接固定され、そして水出口を設けてある。可動体は、固定体の水出口に合わせる水入口を設けてある。【選択図】図２
0003169613.tif 000002
【実用新案登録請求の範囲】
【請求項１】
以下に、この噴霧式ミネラルウォーター瓶の蓋の特徴である。
(a）蓋スタンド。蓋スタンドは瓶口にぴったりとはまって、その上には水を通すことのできる穴がある。
(b) 噴霧装置。霧化弁体とノズルを有する。霧化弁体の外壁には少なくとも2本の導流溝を設けられ、それに、導流溝に合わせる霧化溝もある。ノズルには、霧化弁体を収容する空間があり、その一端には噴霧口が開かれる。霧化弁体はしまりばめでノズルの空間内壁とはめあいにする。霧化溝はノズルとつなぐ。
(c) 水制御装置。水制御装置は固定体、回転できる可動体を有する。固定体は、蓋スタンドに連接固定され、そして水出口を設けてある。可動体は、固定体の水出口に合わせる水入口を設けてある。可動体が回転したら、その水入口は固定体の水出口とのつなぐかどうかを実現する。この構成によれば、噴霧装置の水をコントロ-ルできる。可動体のうちの空間は、噴霧装置としまりばめではめあいにする。
【請求項２】
請求項1の述べた通りに、多機能の噴霧式ミネラルウォーター瓶蓋の特徴は：前記の水制御装置の固定体は、蓋スタンドの上の垂直なパイプで、底は閉鎖にされ、底に近い位置の内壁には水出口を備える。前記の水制御装置の可動体の下端は、固定体の内壁にぴったりとはまって、回転でき、かつ固定体の水出口に合わせる位置には水入口が設けてある。噴霧本体の垂直管と水平管は90°になる。垂直管の内壁には、水平管の円柱形室と同軸の十字形支え物があり、霧化弁体を支える。可動体が回転したら、その水入口は固定体の水出口とのつなぐかどうかを実現する。この構成によれば、噴霧装置の水をコントロ-ルできる。
【請求項３】
請求項2の述べた通りに、多機能の噴霧式ミネラルウォーター瓶蓋の特徴は：前記の水制御装置の固定体の内壁には環状の溝を設け、それに合わせて、前記の水制御装置の可動体には軸肩を設ける。
【請求項４】
請求項2あるいは請求項3の述べた通りに、多機能の噴霧式ミネラルウォーター瓶蓋の特徴は：前記の水制御装置の固定体の底の内壁には柱状の凸状があり、水制御装置の可動体の下端の内径とはめあいにする。
【請求項５】
請求項2の述べた通りに、多機能の噴霧式ミネラルウォーター瓶蓋の特徴は：前記の水制御装置の可動体は直線形で、固定体の内部にはめあいに取り付けられ、回転できる。噴霧装置は、可動体の上端の空間にしまりばめで取り付けられる。
【請求項６】
請求項2の述べた通りに、多機能の噴霧式ミネラルウォーター瓶蓋の特徴は：前記の水制御装置の可動体は直角形で、連接された垂直管と水平管を含む（一体にする）。垂直管は水制御装置の固定体にぴったりとはまって、可動体は垂直管を軸に回転する。水平管の内部には空問があり、噴霧装置はしまりばめで空間に取り付けられる。
【請求項７】
請求項5の述べた通りに、多機能の噴霧式ミネラルウォーター瓶蓋の特徴は：前記の水制御装置の可動体の上端の外側にはハンドルを備える。中端と蓋スタンドの上には開閉制御装置がある。その装置は、蓋スタンドの半径方向にお互いに直角になる二つの位置決め支持体と可動体の中端に取り付けられたリミット突起部を含む。
【請求項８】
請求項6の述べた通りに、多機能の噴霧式ミネラルウォーター瓶蓋の特徴は：前記の蓋スタンドの上には開閉制御装置がある。その装置は、蓋スタンドの半径方向にお互いに直角になる二つの位置決め支持体を有し、水制御装置の開閉をコントロ-ルする。その支持体は円弧状にされる。
【請求項９】
請求項8の述べた通りに、多機能の噴霧式ミネラルウォーター瓶蓋の特徴は：前記の水制御装置は止め状態位置の支持体の下端には、リミット部分がある。この構成によれば、水平管の自ら開くことを防止できる。
【請求項１０】
請求項1の述べた通りに、多機能の噴霧式ミネラルウォーター瓶蓋の特徴は：前記の水制御装置の固定体は蓋スタンドの上に固定され、球状の部分を有する。その球状には水出口を開く。前記の水制御装置の可動体は、固定体の球状部分にぴったりとはまった球体を有し、回転軸で固定体と連接される。その球体は、水出口の回転コ-スに沿って線形の水入口を設ける。この構成によれば、球体の回転によって、水制御装置の開閉を切り替えられる。その球体は管体に固定される。管体の内部空間は線形の水入口と連接され、管体の開口部は噴霧装置にしまりばめで取り付けられる。
【請求項１１】
請求項10の述べた通りに、多機能の噴霧式ミネラルウォーター瓶蓋の特徴は：前記の水制御装置の固定体には、可動体の開閉をコントロ-ル開閉制御装置を設け、可動体は90°の範囲に限定されて回転する。
【請求項１２】
多機能の噴霧式ミネラルウォーター瓶は、弾性の瓶体と噴霧できる蓋を含む。その蓋の特徴は：
(a) 蓋スタンド。蓋スタンドは瓶口にぴったりとはまって、その上には水を通すことのできる穴がある。
(b) 噴霧装置。霧化弁体とノズルを有する。霧化弁体の外壁には少なくとも2本の導流溝を設けられ、それに、導流溝に合わせる霧化溝もある。ノズルには、霧化弁体を収容する空間があり、その一端には噴霧口が開かれる。霧化弁体はしまりばめでノズルの空間内壁とはめあいにする。霧化溝はノズルに通じる。
(c) 水制御装置。水制御装置は固定体、回転できる可動体を有する。固定体は、蓋スタンドに連接固定され、そして水出口を設けてある。可動体は、固定体の水出口に合わせる水入口を設けてある。可動体を回転したら、その水入口は固定体の水出口とのつなぐかどうかを実現する。この構成によれば、噴霧装置の水をコントロ-ルできる。可動体のうちの空間は、噴霧装置としまりばめではめあいにする。
【請求項１３】
請求項12の述べた通りに、多機能の噴霧式ミネラルウォーター瓶蓋の特徴は：前記の水制御装置の固定体は、蓋スタンドの上の垂直なパイプで、底は閉鎖にされ、底に近い位置の内壁には水出口を備える。前記の水制御装置の可動体の下端は、固定体の内壁にぴったりとはまって、回転でき、かつ固定体の水出口に合わせる位置には水入口が設けてある。可動体が回転したら、その水入口は固定体の水出口とのつなぐかどうかを実現する。この構成によれば、噴霧装置の水をコントロ-ルできる。
【請求項１４】
請求項13の述べた通りに、多機能の噴霧式ミネラルウォーター瓶蓋の特徴は：前記の水制御装置の固定体の内壁には環状の溝を設け、それに合わせて、前記の水制御装置の可動体には軸肩を設ける。
【請求項１５】
請求項13あるいは請求項14の述べた通りに、多機能の噴霧式ミネラルウォーター瓶蓋の特徴は：前記の水制御装置の固定体の底の内壁には柱状の凸状があり、水制御装置の可動体の下端の内径とはめあいにする。
【請求項１６】
請求項13の述べた通りに、多機能の噴霧式ミネラルウォーター瓶蓋の特徴は：前記の水制御装置の可動体は直線形で、固定体の内部にはめあいに取り付けられ、回転できる。噴霧装置は、可動体の上端の空間にしまりばめで取り付けられる。
【請求項１７】
請求項13の述べた通りに、多機能の噴霧式ミネラルウォーター瓶蓋の特徴は：前記の水制御装置の可動体は直角形で、連接された垂直管と水平管を含む（一体にする）。垂直管は水制御装置の固定体にぴったりとはまって、可動体は垂直管を軸に回転する。水平管の内部には空問があり、噴霧装置はしまりばめで空間に取り付けられる。
【請求項１８】
請求項17の述べた通りに、多機能の噴霧式ミネラルウォーター瓶蓋の特徴は：前記の水制御装置の可動体の上端の外側にはハンドルを備える。中端と蓋スタンドの上には開閉制御装置がある。その装置は、蓋スタンドの半径方向にお互いに直角になる二つの位置決め支持体と可動体の中端に取り付けられたリミット突起部を含む。
【請求項１９】
請求項18の述べた通りに、多機能の噴霧式ミネラルウォーター瓶蓋の特徴は：前記の蓋スタンドの上には開閉制御装置がある。その装置は、蓋スタンドの半径方向にお互いに直角になる二つの位置決め支持体を有し、水制御装置の開閉をコントロ-ルする。その支持体は円弧状にする。
【請求項２０】
請求項19の述べた通りに、多機能の噴霧式ミネラルウォーター瓶蓋の特徴は：前記の水制御装置は止め状態位置の支持体の下端には、リミット部分がある。この構成によれば、水平管の自ら開くことを防止できる。
【請求項２１】
請求項1の述べた通りに、多機能の噴霧式ミネラルウォーター瓶蓋の特徴は：前記の水制御装置の固定体は蓋スタンドの上に固定され、球状の部分を有する。その球状には水出口を開く。前記の水制御装置の可動体は、固定体の球状部分にぴったりとはまった球体を有し、回転軸で固定体と連接される。その球体は、水出口の回転コ-スに沿って線形の水入口を設ける。この構成によれば、球体の回転によって、水制御装置の開閉を切り替えられる。その球体は管体に固定される。管体の内部空間は線形の水入口と連接され、管体の開口部は噴霧装置にしまりばめで取り付けられる。
【請求項２２】
請求項21の述べた通りに、多機能の噴霧式ミネラルウォーター瓶蓋の特徴は：前記の水制御装置の固定体には、可動体の開閉をコントロ-ル開閉制御装置を設け、可動体は90°の範囲に限定されて回転する。
【考案の詳細な説明】
【技術分野】
【０００１】
本発明は、ミネラルウォーター瓶蓋に関し、より詳細には、噴霧式ミネラルウォーター瓶蓋および多機能の噴霧式ミネラルウォーター瓶に関する。
【背景技術】
【０００２】
普通のミネラルウォーター瓶蓋は、ネジ式で瓶体と連接されるので、蓋を開くとすぐ飲める。この蓋は、瓶体のうちの水を密封し、偽造防止をできるが、機能がシングルで、それ以上のニーズを応じることができない。
【０００３】
目下、出かける時に持たれるミネラルウォータは、飲み物だけとされるが、暑い場合、例えば太陽が照りつけられながらサッカ-とかを見たりする時、ミネラルウォータを直接に顔や頭にかけて涼しくしょうと図る人もいる。このやり方は、水は無駄にされる上に、温度下げの効果も目立だなさそうで、周りの環境を調節できないし。だから、さらに改善される必要がある。
【考案の概要】
【考案が解決しようとする課題】
【０００４】
本発明は、上記問題に鑑みてなされたものであって、簡単な仕組みと噴霧の機能を有する噴霧式ミネラルウォーター瓶蓋を提供することを目的とする。当該噴霧式ミネラルウォーター瓶蓋は弾性のミネラルウォーター瓶と相まって、飲めるのみならず、身の周りの空気を調節できる。
多機能の噴霧式ミネラルウォーター瓶を提供することは、本発明のもう一つの目的である。
【課題を解決するための手段】
【０００５】
上記課題を解決するために、本実用新案は以下の技術方法を取る：
この噴霧式ミネラルウォーター瓶蓋は以下の部品を含む：
（a）蓋スタンド。蓋スタンドは瓶口にぴったりとはまって、その上には水を通すことのできる穴がある。
【０００６】
(b) 噴霧装置。霧化弁体とノズルを有する。霧化弁体の外壁には少なくとも2本の導流溝を設けられ、それに、導流溝に合わせる霧化溝もある。ノズルには、霧化弁体を収容する空間があり、その一端には噴霧口が開かれる。霧化弁体はしまりばめでノズルの空間内壁とはめあいにする。霧化溝はノズルに通じる。
【０００７】
（c）水制御装置。水制御装置は固定体、回転できる可動体を有する。固定体は、蓋スタンドに連接固定され、そして水出口を設けてある。可動体は、固定体の水出口に合わせる水入口を設けてある。可動体を回転したら、その水入口は固定体の水出口とのつなぐかどうかを実現する。この構成によれば、噴霧装置の水をコントロ-ルできる。可動体のうちの空間は、噴霧装置としまりばめではめあいにする。
【０００８】
多機能の噴霧式ミネラルウォーター瓶は、弾性の瓶体と噴霧式ミネラルウォーター瓶蓋からなる。その中、噴霧式ミネラルウォーター瓶蓋は以下の部品を含む：
（a）蓋スタンド。蓋スタンドは瓶口にぴったりとはまって、その上には水を通すことのできる穴がある。
【０００９】
(b) 噴霧装置。霧化弁体とノズルを有する。霧化弁体の外壁には少なくとも2本の導流溝を設けられ、それに、導流溝に合わせる霧化溝もある。ノズルには、霧化弁体を収容する空間があり、その一端には噴霧口が開かれる。霧化弁体はしまりばめでノズルの空間内壁とはめあいにする。霧化溝はノズルに通じる。
【００１０】
（c）水制御装置。水制御装置は固定体、回転できる可動体を有する。固定体は、蓋スタンドに連接固定され、そして水出口を設けてある。可動体は、固定体の水出口に合わせる水入口を設けてある。可動体を回転したら、その水入口は固定体の水出口とのつなぐかどうかを実現する。この構成によれば、噴霧装置の水をコントロ-ルできる。可動体のうちの空間は、噴霧装置としまりばめではめあいにする。
【００１１】
上記の水制御装置の固定体は、蓋スタンドの上の垂直なパイプで、底は閉鎖にされ、底に近い位置の内壁には水出口を備える。前記の水制御装置の可動体の下端は、固定体の内壁にぴったりとはまって、回転でき、かつ固定体の水出口に合わせる位置には水入口が設けてある。噴霧本体の垂直管と水平管は90°になる。垂直管の内壁には、水平管の円柱形室と同軸の十字形支え物があり、霧化弁体を支える。可動体を回転したら、その水入口は固定体の水出口とのつなぐかどうかを実現する。この構成によれば、噴霧装置の水をコントロ-ルできる。
【００１２】
前記の水制御装置の固定体の内壁には環状の溝を設け、それに合わせて、前記の水制御装置の可動体には軸肩を設ける。
【００１３】
前記の水制御装置の固定体の底の内壁には柱状の凸状があり、水制御装置の可動体の下端の内径とはめあいにする
前記の水制御装置の可動体は直線形で、固定体の内部にはめあいに取り付けられ、回転できる。噴霧装置は、可動体の上端の空間にしまりばめで取り付けられる。
【００１４】
前記の水制御装置の可動体は直角形で、連接された垂直管と水平管を含む（一体にする）。垂直管は水制御装置の固定体にぴったりとはまって、可動体は垂直管を軸に回転する。水平管の内部には空問があり、噴霧装置はしまりばめで空間に取り付けられる。
【００１５】
前記の水制御装置の可動体の上端の外側にはハンドルを備える。中端と蓋スタンドの上には開閉制御装置がある。その装置は、蓋スタンドの半径方向にお互いに直角になる二つの位置決め支持体と可動体の中端に取り付けられたリミット突起部を含む。
【００１６】
前記の蓋スタンドの上には開閉制御装置がある。その装置は、蓋スタンドの半径方向にお互いに直角になる二つの位置決め支持体を有し、水制御装置の開閉をコントロ-ルする。その支持体は円弧状にする。
【００１７】
前記の水制御装置は止め状態位置の支持体の下端には、リミット部分がある。この構成によれば、水平管の自ら開くことを防止できる。
【００１８】
前記の水制御装置の固定体は蓋スタンドの上に固定され、球状の部分を有する。その球状には水出口を開く。前記の水制御装置の可動体は、固定体の球状部分にぴったりとはまった球体を有し、回転軸で固定体と連接される。その球体は、水出口の回転コ-スに沿って線形の水入口を設ける。この構成によれば、球体の回転によって、水制御装置の開閉を切り替えられる。その球体は管体に固定される。管体の内部空間は線形の水入口と連接され、管体の開口部は噴霧装置にしまりばめで取り付けられる。
【００１９】
前記の水制御装置の固定体には、可動体の開閉をコントロ-ル開閉制御装置を設け、可動体は90°の範囲に限定されて回転する。
【考案の効果】
【００２０】
上記の構成によれば、本発明の噴霧式ミネラルウォーター瓶の蓋は、弾性のミネラルウォーター瓶と相まって多功能の噴霧式ミネラルウォーター瓶を実現する。一般的な飲む機能の上に、瓶を押して瓶体を変形させ、内部気圧が大きくなり、水は蓋の水制御装置の水出口を通して水入口に入り、導流溝で噴霧口から噴き出し、噴霧式飲み方式を実現する。その他、周りの埃が立つ、あるいは暑い場合、瓶体を逆立ちにし、ノズルを体あるいはその周りに向かって瓶体を押すと、噴霧で周りの温度を下げるし、埃を水の霧と結合し落させ、涼しくてさわやかで快適になれる。本発明は、仕組みが簡単だし、実用的なので、市場の将来性がある。
【図面の簡単な説明】
【００２１】
【図１】本発明の噴霧式ミネラルウォーター瓶蓋の仕組みを示す図である。
【図２】図1の分解図である。
【図３】図1の水制御装置は開く状態になる平面図である。
【図４】図3のA-A断面図である。
【図５】水制御装置の止め状態を示す図である。
【図６】図5の平面図である。
【図７】図6のB-B断面図である
【図８】本発明の噴霧式ミネラルウォーター瓶蓋の実施形態2の分解図である。
【図９】本発明の噴霧式ミネラルウォーター瓶蓋の実施形態3の仕組みを示す図である。
【図１０】図9の分解展開図である。
【図１１】図9の平面図である。
【図１２】図11のC-C断面図である。
【図１３】本発明の噴霧式ミネラルウォーター瓶の仕組みを示す図である。
【図１４】本発明の噴霧式ミネラルウォーター瓶蓋の実施形態2の仕組みを示す図である。
【図１５】本発明の噴霧式ミネラルウォーター瓶蓋の実施形態3の仕組みを示す図である。
【考案を実施するための最良の形態】
【００２２】
以下に、本発明について、具体的実施形態に分けて図面を用いてさらに詳しく説明する。
【００２３】
〔実施形態1〕
図1-図7のように、噴霧式ミネラルウォーター瓶蓋は、蓋スタンド1、噴霧装置2、水制御装置3を含む。蓋スタンド1は瓶口にぴったりとはまって、その上には水を通すことのできる穴がある。噴霧装置2は霧化弁体21とノズル22を有する。霧化弁体21の外壁には少なくとも2本の導流溝24を設けられ（水量によって増やしてもいい）、それに、導流溝24に合わせる霧化溝26もある。導流溝24は二本の連接溝25で霧化溝26とつなぐ。ノズル22には、霧化弁体21を収容する空間28があり、その一端には噴霧口23が開かれる。霧化弁体21はしまりばめでノズル22の空間内壁とはめあいにする。霧化孔26は同じ軸方向の円錐台空間27を通してノズル22とつなぐ。
【００２４】
水制御装置は固定体40、回転できる可動体を有する。固定体40は、蓋スタンド1の上の垂直なパイプで、底は閉鎖にされ、底の内壁には柱状の凸状42があり、底に近い位置の内壁には水出口44を備える。水制御装置の可動体は直角形で、連接された垂直管32と水平管31を含む（一体にする）。垂直管32の外壁は水制御装置の固定体40の内壁にぴったりとはまって、柱状の凸状42とはめあいにする。垂直管32の下端には、水出口44に合わせて水入口30が設けてある。可動体は垂直管32を軸に回転でき、その水入口30は固定体の水出口44とのつなぐかどうかを実現する。この構成によれば、噴霧装置2の水をコントロ-ルできる。水平管31のうちには空間38があり、霧化弁体21を支える弁座43を備え、噴霧装置は、空間38で取り付けられ、空間の内壁としまりばめではめあいにする。霧化弁体21は弁座43に支えられる。垂直管32を固定体40にきちんとはめあいにするように、水制御装置の固定体40の内壁には環状の溝41を設け、それに合わせて、前記の水制御装置の可動体には軸肩39を設ける。
【００２５】
蓋スタンド1の上には開閉制御装置がある。その装置は、蓋スタンド1の半径方向にお互いに直角になる二つの位置決め支持体33、36を有し、それぞれ水制御装置の開閉をコントロ-ルする。その支持体は円弧状34、37にする。水制御装置は止め状態位置の支持体の下端には、リミット突起部35がある。この構成によれば、水平管31の自ら開くことを防止できる。衛生の考慮に入れて、蓋スタンドの上には副蓋を設け、弾性結合件で蓋スタンドとつなげる。あるいは、鎖水の効果と衛生のために、ノズルの噴霧孔の側には小さい蓋を設ける。
【００２６】
〔実施形態2〕
図8のように示されたのは、本発明の実施形態2である。実施形態1の直角形の水制御装置の可動体の仕組みに比べて、本実施形態の水制御装置の可動体は直線形で、管31と管32を含む。実施形態1と同様に、管32は固定体40に取り付けられる。軸肩39は、環状の溝41とはめ合いにする。管32の下端の口は、固定体のの管の底の柱形凸状物42にはめ合いにする。水入口30と水出口44は、可動体の回転により連接されたりずらされりする。この構成によれば、可動体に入 る水をコントロ-ルできる。管31のうちには空間がり、霧化弁体21がノズルの内部の空間に取り付けられ、噴霧装置2になっている。噴霧装置は、管31の内部の空間に取り付けられる。水制御装置の可動体を回転させように、管31の上部の両側には、ハンドル45を設ける。管31の中端と蓋スタンド1の上には開閉制御装置がある。その装置は、蓋スタンドの半径方向にお互いに直角になる二つの位置決め支持体47、48および可動体のに取り付けられたリミット突起部46を含む。
【００２７】
〔実施形態3〕
以下に、実施形態3について図9-12を用いて説明する。噴霧式ミネラルウォーター瓶蓋は、蓋スタンド1、噴霧装置、水制御装置を含む。噴霧装置は、霧化弁体21とノズル22を有する。霧化弁体21の外壁には少なくとも2本の導流溝24を設けられ（水量によって増やしてもいい）、それに、導流溝24に合わせる霧化溝26もある。導流溝24は二本の連接溝25で霧化溝26とつなぐ。ノズル22には、霧化弁体21を収容する空間28があり、その一端には噴霧口23が開かれる。霧化弁体21はしまりばめでノズル22の空間内壁とはめあいにする。霧化孔26は同じ軸方向の円錐台空間27を通してノズル22とつなぐ。
【００２８】
水制御装置の固定体は蓋スタンド1の上に固定され、その下部の管体は蓋スタンド1の管体の内壁に取り付けられる。軸肩39は環状の溝41とはめ合いにする。固定体の下端は球状の部分を有する。その球状には水出口51を開く。前記の水制御装置の可動体は、固定体の球状部分にぴったりとはまった球体49を有し、回転軸52で固定体と連接される。その球体は、水出口の回転コ-スに沿って線形の水入口50を設ける。この構成によれば、球体は、水制御装置の開く状態になると、水出口51、水入口50がつなげられる。その球体49は管体31に固定される。管体の内部空間は線形の水入口50と連接され、管体の開口部は噴霧装置にしまりばめで取り付けられる。なお、固定体には、可動体の開閉をコントロ-ル開閉制御装置48を設け、可動体は90°の範囲に限定されて回転する。
【００２９】
〔実施形態4〕
図13および図1-7のように示されたのは、本発明の実施形態2である。噴霧式ミネラルウォーター瓶は、弾性の瓶体4と噴霧式ミネラルウォーター瓶蓋を含む。噴霧式ミネラルウォーター瓶蓋は、蓋スタンド1、噴霧装置2、水制御装置を含む。蓋スタンド1は瓶口にぴったりとはまって、その上には水を通すことのできる穴がある。噴霧装置2は、霧化弁体21とノズル22を有する。霧化弁体21の外壁には少なくとも2本の導流溝24を設けられ（水量によって増やしてもいい）、それに、導流溝24に合わせる霧化溝26もある。導流溝24は二本の連接溝25で霧化溝26とつなぐ。ノズル22には、霧化弁体21を収容する空間28があり、その一端には噴霧口23が開かれる。霧化弁体21はしまりばめでノズル22の空間内壁とはめあいにする。霧化孔26は同じ軸方向の円錐台空間27を通してノズル22とつなぐ。
【００３０】
水制御装置は固定体40、回転できる可動体を有する。固定体40は、蓋スタンド1の上の垂直なパイプで、底は閉鎖にされ、底の内壁には柱状の凸状42があり、底に近い位置の内壁には水出口44を備える。水制御装置の可動体は直角形で、連接された垂直管32と水平管31を含む（一体にする）。垂直管32は水制御装置の固定体40にぴったりとはまって、それに柱状の凸状42にはい合いにする。垂直管32の下端には、水出口44に合わせる位置には水入口30が設けてある。可動体は垂直管を軸に回転する。可動体を回転したら、その水入口30は固定体の水出口44とのつなぐかどうかを実現する。この構成によれば、噴霧装置の水をコントロ-ルできる。水平管31の内部には空問38があり、その中には霧化弁体21を支える弁座43を備える。噴霧装置は、空間38で取り付けられ、空間の内壁としまりばめではめあいにする。霧化弁体21は弁座43に支えられる。垂直管32を固定体40にきちんとはめあいにするように、水制御装置の固定体40の内壁には環状の溝41を設け、それに合わせて、前記の水制御装置の可動体には軸肩39を設ける。
【００３１】
蓋スタンド1の上には水制御装置の開閉制御装置がある。その装置は、蓋スタンド1の半径方向にお互いに直角になる二つの位置決め支持体33と36 を有し、それぞれ水制御装置の開閉をコントロ-ルする。その支持体は円弧状の部分34と37にする。水制御装置は止め状態位置の支持体の下端には、リミット突起部35がある。この構成によれば、水平管31の自ら開くことを防止できる。
【００３２】
〔実施形態5〕
図14および図9-12のように、噴霧式ミネラルウォーター瓶は、弾性の瓶体4と噴霧式ミネラルウォーター瓶蓋を含む。その仕組みは実施形態3の中で詳しく説明したことがあるので、ここで再び申しあげない。
【００３３】
〔実施形態6〕
図15および図8のように、噴霧式ミネラルウォーター瓶は、弾性の瓶体4と噴霧式ミネラルウォーター瓶蓋を含む。その仕組みは実施形態2の中で詳しく説明したことがあるので、ここで再び申しあげない。
【００３４】
本発明の噴霧式ミネラルウォーター瓶の蓋は、弾性のミネラルウォーター瓶と相まって多功能の噴霧式ミネラルウォーター瓶を実現する。一般的な飲む機能の上に、瓶を押して瓶体を変形させ、内部気圧が大きくなり、水は蓋の水制御装置の水出口を通して水入口に入り、導流溝で噴霧口から噴き出し、噴霧式飲み方式を実現する。その他、周りの埃が立つ、あるいは暑い場合、瓶体を逆立ちにし、ノズルを体あるいはその周りに向かって瓶体を押すと、噴霧で周りの温度を下げるし、埃を水の霧と結合し落させ、涼しくてさわやかで快適になれる。本発明は、仕組みが簡単だし、実用的なので、市場の将来性がある。
【００３５】
以上は、具体的実施形態について詳しく説明したが、本発明特許の保護範囲の制限というわけではない。本発明特許の保護範囲は、添付された権利要求に基づくべきであるから。ご了承ください。
【図１】
0003169613.tif 000003
【図２】
0003169613.tif 000004
【図３】
0003169613.tif 000005
【図４】
0003169613.tif 000006
【図５】
0003169613.tif 000007
【図６】
0003169613.tif 000008
【図７】
0003169613.tif 000009
【図８】
0003169613.tif 000010
【図９】
0003169613.tif 000011
【図１０】
0003169613.tif 000012
【図１１】
0003169613.tif 000013
【図１２】
0003169613.tif 000014
【図１３】
0003169613.tif 000015
【図１４】
0003169613.tif 000016
【図１５】
0003169613.tif 000017
【手続補正書】
【提出日】平成23年6月2日(2011.6.2)
【手続補正１】
【補正対象書類名】実用新案登録請求の範囲
【補正対象項目名】全文
【補正方法】変更
【補正の内容】
【実用新案登録請求の範囲】
【請求項１】
噴霧式ミネラルウォーター瓶の蓋において、
（１）瓶口にぴったりとはまって、その上には水を通すことのできる穴がある蓋スタンドと、
（２）霧化弁体とノズルを有する噴霧装置と、
（３）固定体と、回転できる可動体とを有する水制御装置と、を備え、
噴霧装置の霧化弁体の外壁には少なくとも2本の導流溝と、導流溝に合わせる霧化溝とが設けられており、
ノズルには、霧化弁体を収容する空間があり、その一端には噴霧口が開かれ、
霧化弁体はしまりばめでノズルの空間内壁とはめあいにし、
霧化溝はノズルとつなぎ、
水制御装置の固定体は、蓋スタンドに連接固定され、そして水出口を設けてあり、
可動体は、固定体の水出口に合わせる水入口を設けてあり、
可動体が回転したら、その水入口は固定体の水出口とつなぐかどうかを実現し、
この構成によれば、噴霧装置の水をコントロールでき、
可動体のうちの空間は、噴霧装置としまりばめではめあいにする、ことを特徴とする噴霧式ミネラルウォーター瓶の蓋。
【請求項２】
前記の水制御装置の固定体は、蓋スタンドの上の垂直なパイプで、底は閉鎖にされ、底に近い位置の内壁には水出口を備え、
前記の水制御装置の可動体の下端は、固定体の内壁にぴったりとはまって、回転でき、かつ固定体の水出口に合わせる位置には水入口が設けてあり、
噴霧本体の垂直管と水平管は90°になり、
垂直管の内壁には、水平管の円柱形室と同軸の十字形支え物があり、霧化弁体を支え、
可動体が回転したら、その水入口は固定体の水出口とつなぐかどうかを実現し、
この構成によれば、噴霧装置の水をコントロールできることを特徴とする請求項１に記載の噴霧式ミネラルウォーター瓶の蓋。
【請求項３】
前記の水制御装置の固定体の内壁には環状の溝を設け、それに合わせて、前記の水制御装置の可動体には軸肩を設けることを特徴とする請求項２に記載の噴霧式ミネラルウォーター瓶の蓋。
【請求項４】
前記の水制御装置の固定体の底の内壁には柱状の凸状があり、水制御装置の可動体の下端の内径とはめあいにすることを特徴とする請求項２または３に記載の噴霧式ミネラルウォーター瓶の蓋。
【請求項５】
前記の水制御装置の可動体は直線形で、固定体の内部にはめあいに取り付けられ、回転でき、
噴霧装置は、可動体の上端の空間にしまりばめで取り付けられることを特徴とする請求項２に記載の噴霧式ミネラルウォーター瓶の蓋。
【請求項６】
前記の水制御装置の可動体は直角形で、連接された垂直管と水平管を含み（一体にし）、
垂直管は水制御装置の固定体にぴったりとはまって、可動体は垂直管を軸に回転し、
水平管の内部には空間があり、噴霧装置はしまりばめで空間に取り付けられることを特徴とする請求項２に記載の噴霧式ミネラルウォーター瓶の蓋。
【請求項７】
前記の水制御装置の可動体の上端の外側にはハンドルを備え、
中端と蓋スタンドの上には開閉制御装置があり、
その装置は、蓋スタンドの半径方向にお互いに直角になる二つの位置決め支持体と可動体の中端に取り付けられたリミット突起部を含むことを特徴とする請求項５に記載の噴霧式ミネラルウォーター瓶の蓋。
【請求項８】
前記の蓋スタンドの上には開閉制御装置があり、
その装置は、蓋スタンドの半径方向にお互いに直角になる二つの位置決め支持体を有し、水制御装置の開閉をコントロールし、
その支持体は円弧状にされることを特徴とする請求項６に記載の噴霧式ミネラルウォーター瓶の蓋。
【請求項９】
前記の水制御装置は止め状態位置の支持体の下端には、リミット部分があり、
この構成によれば、水平管の自ら開くことを防止できることを特徴とする請求項８に記載の噴霧式ミネラルウォーター瓶の蓋。
【請求項１０】
前記の水制御装置の固定体は蓋スタンドの上に固定され、球状の部分を有し、
その球状には水出口を開き、
前記の水制御装置の可動体は、固定体の球状部分にぴったりとはまった球体を有し、回転軸で固定体と連接され、
その球体は、水出口の回転コースに沿って線形の水入口を設け、
この構成によれば、球体の回転によって、水制御装置の開閉を切り替えられ、
その球体は管体に固定され、
管体の内部空間は線形の水入口と連接され、管体の開口部は噴霧装置にしまりばめで取り付けられることを特徴とする請求項１に記載の噴霧式ミネラルウォーター瓶の蓋。
【請求項１１】
前記の水制御装置の固定体には、可動体の開閉をコントロール開閉制御装置を設け、可動体は90°の範囲に限定されて回転することを特徴とする請求項１０に記載の噴霧式ミネラルウォーター瓶の蓋。
【請求項１２】
多機能の噴霧式ミネラルウォーター瓶は、弾性の瓶体と噴霧できる蓋を含み、その蓋は、
（１）瓶口にぴったりとはまって、その上には水を通すことのできる穴がある蓋スタンドと、
（２）霧化弁体とノズルを有する噴霧装置と、
（３）固定体と、回転できる可動体とを有する水制御装置と、を備え、
噴霧装置の霧化弁体の外壁には少なくとも2本の導流溝と、導流溝に合わせる霧化溝とが設けられており、
ノズルには、霧化弁体を収容する空間があり、その一端には噴霧口が開かれ、
霧化弁体はしまりばめでノズルの空間内壁とはめあいにし、
霧化溝はノズルに通じ、
水制御装置の固定体は、蓋スタンドに連接固定され、そして水出口を設けてあり、
可動体は、固定体の水出口に合わせる水入口を設けてあり、
可動体を回転したら、その水入口は固定体の水出口とつなぐかどうかを実現し、
この構成によれば、噴霧装置の水をコントロールでき、
可動体のうちの空間は、噴霧装置としまりばめではめあいにする、ことを特徴とする噴霧式ミネラルウォーター瓶。
【請求項１３】
前記の水制御装置の固定体は、蓋スタンドの上の垂直なパイプで、底は閉鎖にされ、底に近い位置の内壁には水出口を備え、
前記の水制御装置の可動体の下端は、固定体の内壁にぴったりとはまって、回転でき、かつ固定体の水出口に合わせる位置には水入口が設けてあり、
可動体が回転したら、その水入口は固定体の水出口とつなぐかどうかを実現し、
この構成によれば、噴霧装置の水をコントロールできることを特徴とする請求項１２に記載の噴霧式ミネラルウォーター瓶。
【請求項１４】
前記の水制御装置の固定体の内壁には環状の溝を設け、それに合わせて、前記の水制御装置の可動体には軸肩を設けることを特徴とする請求項１３に記載の噴霧式ミネラルウォーター瓶。
【請求項１５】
前記の水制御装置の固定体の底の内壁には柱状の凸状があり、水制御装置の可動体の下端の内径とはめあいにすることを特徴とする請求項１３または１４に記載の噴霧式ミネラルウォーター瓶。
【請求項１６】
前記の水制御装置の可動体は直線形で、固定体の内部にはめあいに取り付けられ、回転でき、
噴霧装置は、可動体の上端の空間にしまりばめで取り付けられることを特徴とする請求項１３に記載の噴霧式ミネラルウォーター瓶。
【請求項１７】
前記の水制御装置の可動体は直角形で、連接された垂直管と水平管を含み（一体にし）、
垂直管は水制御装置の固定体にぴったりとはまって、可動体は垂直管を軸に回転し、
水平管の内部には空間があり、噴霧装置はしまりばめで空間に取り付けられることを特徴とする請求項１３に記載の噴霧式ミネラルウォーター瓶。
【請求項１８】
前記の水制御装置の可動体の上端の外側にはハンドルを備え、
中端と蓋スタンドの上には開閉制御装置があり、
その装置は、蓋スタンドの半径方向にお互いに直角になる二つの位置決め支持体と可動体の中端に取り付けられたリミット突起部を含むことを特徴とする請求項１７に記載の噴霧式ミネラルウォーター瓶。
【請求項１９】
前記の蓋スタンドの上には開閉制御装置があり、
その装置は、蓋スタンドの半径方向にお互いに直角になる二つの位置決め支持体を有し、水制御装置の開閉をコントロールし、
その支持体は円弧状にすることを特徴とする請求項１８に記載の噴霧式ミネラルウォーター瓶。
【請求項２０】
前記の水制御装置は止め状態位置の支持体の下端には、リミット部分があり、
この構成によれば、水平管の自ら開くことを防止できることを特徴とする請求項１９に記載の噴霧式ミネラルウォーター瓶。
【請求項２１】
前記の水制御装置の固定体は蓋スタンドの上に固定され、球状の部分を有し、
その球状には水出口を開き、
前記の水制御装置の可動体は、固定体の球状部分にぴったりとはまった球体を有し、回転軸で固定体と連接され、
その球体は、水出口の回転コースに沿って線形の水入口を設け、
この構成によれば、球体の回転によって、水制御装置の開閉を切り替えられ、
その球体は管体に固定され、
管体の内部空間は線形の水入口と連接され、管体の開口部は噴霧装置にしまりばめで取り付けられることを特徴とする請求項１２に記載の噴霧式ミネラルウォーター瓶。
【請求項２２】
前記の水制御装置の固定体には、可動体の開閉をコントロール開閉制御装置を設け、可動体は90°の範囲に限定されて回転することを特徴とする請求項２１に記載の噴霧式ミネラルウォーター瓶。